(57)【特許請求の範囲】
【請求項１】
印刷ポリシーに従い、印刷物への透かしの挿入を制御する印刷管理サーバと、
印刷物に透かしを印刷するプリンタと、
該プリンタ及び前記印刷管理サーバに接続され、該印刷管理サーバの制御に基づき、該プリンタの出力を制御するユーザ端末とを備えた透かし印刷管理システムであって、
前記印刷管理サーバは、印刷要求をするユーザ又はグループ毎に透かしの有無と、透かしの種類とを定義した透かし印刷ポリシーを収納する透かし印刷ポリシー定義ファイル、及び、透かしのレイアウト、位置、大きさ等、透かしの出力内容である透かし印刷定義情報を収納する透かし印刷定義情報ファイルを格納する記憶手段と、
該透かし印刷定義情報を定義するための透かし定義情報作成ユーティリティとを備え、
前記ユーザ端末は、キー情報を格納する透かし用外部接続機器が該ユーザ端末に接続されて存在しているかどうかを照会し、存在が確認された時は、透かし無しとして印刷させるべく、前記印刷管理サーバへの透かし印刷ポリシーの問い合わせを行わないように機能させる機器存在照会手段と、
キー情報を格納する透かし用外部接続機器の存在が確認されない時、前記印刷管理サーバに透かし印刷ポリシーを問い合わせ、「透かし印刷あり」という印刷ポリシーを受信すると、前記印刷管理サーバに透かし印刷定義情報を問い合わせ、透かし印刷定義情報を受信すると、アプリケーションによって作成された印刷データに前記透かし印刷定義情報に基づく透かし印刷データを付加する透かし印刷ドライバと、
前記透かし印刷ドライバをアプリケーションに適用する透かし印刷ドライバ挿入サービスと、
前記透かし印刷ドライバによって透かしが挿入されたかチェックする透かしプリントプロセッサと、
前記プリンタと前記透かしプリントプロセッサの設定状態を検知する透かしプリントプロセッサ監視サービスとを備え、
更に、前記透かし印刷ドライバは、透かし印刷情報を文書データに付加する透かし印刷情報付加手段と、
印刷ジョブパラメータに透かし挿入の有無を判別できる透かしパラメータを設定する透かしパラメータ設定手段とを備え、
前記透かし印刷ドライバ挿入サービスは、アプリケーションに対し前記透かし印刷ドライバを挿入し、印刷実行時に、前記透かし印刷ドライバの機能を適用させる透かし印刷ドライバ適用機能を備え、
前記透かしプリントプロセッサは、前記透かし印刷ドライバによって設定された印刷ジョブパラメータの透かしパラメータが存在しない場合に印刷を抑止する印刷抑止機能を備え、
前記透かしプリントプロセッサ監視サービスは、プリンタの設定状態を検知し、プリントプロセッサが透かしプリントプロセッサ以外のものに設定されていないかどうかをチェックするチェック手段と、
チェックの結果、異なるものが設定されていた場合、透かしプリントプロセッサを割り当てる割当て手段とを備えることを特徴とする透かし印刷管理システム。
【請求項２】
上記印刷管理サーバは、上記透かし印刷ドライバからの透かし印刷ポリシーの問合せを受信するポリシー問合せ受信手段と、
該ポリシー問合せに基づき、上記透かし印刷ポリシー定義ファイルを参照するポリシー参照手段と、
参照結果である透かし印刷ポリシーを前記透かし印刷ドライバに送信するポリシー送信手段と、
前記透かし印刷ドライバからの透かし印刷定義情報の問合せを受信する定義情報問合せ受信手段と、
該透かし印刷定義情報に基づき、上記透かし印刷定義情報ファイルを参照する定義情報参照手段と、
参照結果である透かし印刷定義情報を前記透かし印刷ドライバに送信する定義情報送信手段とを備え、
上記透かし印刷ドライバは、前記印刷管理サーバに透かし印刷ポリシーを問い合わせるポリシー問合せ手段と、
前記印刷管理サーバから透かし印刷ポリシーを受信するポリシー受信手段と、
前記印刷管理サーバに透かし印刷定義情報を問い合わせる定義情報問合せ手段と、
前記印刷管理サーバから透かし印刷定義情報を受信する定義情報受信手段と、
文書データを上記プリンタに出力するプリンタ出力手段とを備えることを特徴とする請求項１記載の透かし印刷管理システム。
【請求項３】
上記プリンタは、プリントサーバを介して上記ユーザ端末に接続されることを特徴とする請求項１又は２記載の透かし印刷管理システム。
【請求項４】
上記透かし印刷定義情報ファイルは、印刷データに挿入する透かしのレイアウト、位置、大きさを示す記号を含む複数の記号を列挙した電子データを格納し、該電子データはコンピュータ上のファイルのレコード形式をとることを特徴とする請求項１乃至３のうちいずれか一に記載の透かし印刷管理システム。
【発明の詳細な説明】
【技術分野】
【０００１】
本発明は、システム管理者の設定したポリシーに従って、印刷物に透かしを埋め込むことにより、企業内の情報の漏洩を防止することを目的とした透かし印刷管理システムに関するものである。
【背景技術】
【０００２】
従来、機密文書の印刷物には、「機密」などの目に見える透かしを付与することで、その文書の漏洩を防いでいる。或いは、文書上に容易には見えず、文書のコピー上に明確に見えるようになるような透かしを埋め込むことで情報の漏洩を検知・追跡する方法がとられている。
尚、印刷物に透かしを埋め込む制御システムとして、例えば、特許文献１が提案されている。
【特許文献１】特開２００５−３８３７２
【発明の開示】
【発明が解決しようとする課題】
【０００３】
然しながら、従来、透かしを埋め込む場合に、印刷物に透かしを挿入するかどうかは印刷するプリンタに接続されたコンピュータのプリンタドライバの設定によるため、各作業コンピュータで作業している作業者に透かしを埋め込む意思がなければ、文書に透かしを挿入することはできない。
【０００４】
又、文書に透かしを埋め込んだとしても、透かしに入る「機密」などの文字列を定義しているのみであり、その文字列だけでは印刷した日時、場所、人物などの特定はできない。
【０００５】
更に、公知の透かし印刷制御方式では、印刷の制御のための特殊な機能を持ったプリンタ（デジタル複合機）を使用しなければならず、汎用性に欠ける問題があった。
【０００６】
以上の現状に鑑み、本発明は、印刷するユーザの意思によらず、強制的に印刷物に透かしを挿入することが可能となり、機密情報の印刷物による漏洩を容易に防止することができる透かし印刷管理システムを提供することを目的とする。
又、前記システムに於いて、強制的に透かしを挿入する設定が適用されているユーザでも、管理者から提供されたUSBキー等の外部接続機器を使用することで、一時的に透かしなしで印刷することを可能とする機能を提供することを目的とする。
更に、前記システムを導入した端末をプリントサーバとして構築したときに、前記システムが導入されていない端末からの印刷を抑止できる機能を提供することを目的とする。
【課題を解決するための手段】
【０００７】
上記の課題を解決すべく、本発明は以下の構成を提供する。
請求項１に係る発明は、印刷ポリシーに従い、印刷物への透かしの挿入を制御する印刷管理サーバと、
印刷物に透かしを印刷するプリンタと、
該プリンタ及び前記印刷管理サーバに接続され、該印刷管理サーバの制御に基づき、該プリンタの出力を制御するユーザ端末とを備えた透かし印刷管理システムであって、
前記印刷管理サーバは、印刷要求をするユーザ又はグループ毎に透かしの有無と、透かしの種類とを定義した透かし印刷ポリシーを収納する透かし印刷ポリシー定義ファイル、及び、透かしのレイアウト、位置、大きさ等、透かしの出力内容である透かし印刷定義情報を収納する透かし印刷定義情報ファイルを格納する記憶手段と、
該透かし印刷定義情報を定義するための透かし定義情報作成ユーティリティとを備え、
前記ユーザ端末は、キー情報を格納する透かし用外部接続機器が該ユーザ端末に接続されて存在しているかどうかを照会し、存在が確認された時は、透かし無しとして印刷させるべく、前記印刷管理サーバへの透かし印刷ポリシーの問い合わせを行わないように機能させる機器存在照会手段と、
キー情報を格納する透かし用外部接続機器の存在が確認されない時、前記印刷管理サーバに透かし印刷ポリシーを問い合わせ、「透かし印刷あり」という印刷ポリシーを受信すると、前記印刷管理サーバに透かし印刷定義情報を問い合わせ、透かし印刷定義情報を受信すると、アプリケーションによって作成された印刷データに前記透かし印刷定義情報に基づく透かし印刷データを付加する透かし印刷ドライバと、
前記透かし印刷ドライバをアプリケーションに適用する透かし印刷ドライバ挿入サービスと、
前記透かし印刷ドライバによって透かしが挿入されたかチェックする透かしプリントプロセッサと、
前記プリンタと前記透かしプリントプロセッサの設定状態を検知する透かしプリントプロセッサ監視サービスとを備え、
更に、前記透かし印刷ドライバは、透かし印刷情報を文書データに付加する透かし印刷情報付加手段と、
印刷ジョブパラメータに透かし挿入の有無を判別できる透かしパラメータを設定する透かしパラメータ設定手段とを備え、
前記透かし印刷ドライバ挿入サービスは、アプリケーションに対し前記透かし印刷ドライバを挿入し、印刷実行時に、前記透かし印刷ドライバの機能を適用させる透かし印刷ドライバ適用機能を備え、
前記透かしプリントプロセッサは、前記透かし印刷ドライバによって設定された印刷ジョブパラメータの透かしパラメータが存在しない場合に印刷を抑止する印刷抑止機能を備え、
前記透かしプリントプロセッサ監視サービスは、プリンタの設定状態を検知し、プリントプロセッサが透かしプリントプロセッサ以外のものに設定されていないかどうかをチェックするチェック手段と、
チェックの結果、異なるものが設定されていた場合、透かしプリントプロセッサを割り当てる割当て手段とを備えることを特徴とする透かし印刷管理システムを提供するものである。
【０００８】
請求項２に係る発明は、上記印刷管理サーバは、上記透かし印刷ドライバからの透かし印刷ポリシーの問合せを受信するポリシー問合せ受信手段と、
該ポリシー問合せに基づき、上記透かし印刷ポリシー定義ファイルを参照するポリシー参照手段と、
参照結果である透かし印刷ポリシーを前記透かし印刷ドライバに送信するポリシー送信手段と、
前記透かし印刷ドライバからの透かし印刷定義情報の問合せを受信する定義情報問合せ受信手段と、
該透かし印刷定義情報に基づき、上記透かし印刷定義情報ファイルを参照する定義情報参照手段と、
参照結果である透かし印刷定義情報を前記透かし印刷ドライバに送信する定義情報送信手段とを備え、
上記透かし印刷ドライバは、前記印刷管理サーバに透かし印刷ポリシーを問い合わせるポリシー問合せ手段と、
前記印刷管理サーバから透かし印刷ポリシーを受信するポリシー受信手段と、
前記印刷管理サーバに透かし印刷定義情報を問い合わせる定義情報問合せ手段と、
前記印刷管理サーバから透かし印刷定義情報を受信する定義情報受信手段と、
文書データを上記プリンタに出力するプリンタ出力手段とを備えることを特徴とする請求項１記載の透かし印刷管理システムを提供するものである。
【０００９】
請求項３に係る発明は、上記プリンタは、プリントサーバを介して上記ユーザ端末に接続されることを特徴とする請求項１又は２記載の透かし印刷管理システムを提供するものである。
【００１０】
請求項４に係る発明は、上記透かし印刷定義情報ファイルは、印刷データに挿入する透かしのレイアウト、位置、大きさを示す記号を含む複数の記号を列挙した電子データを格納し、該電子データはコンピュータ上のファイルのレコード形式をとることを特徴とする請求項１乃至３のうちいずれか一に記載の透かし印刷管理システムを提供するものである。
【発明の効果】
【００１２】
本発明の請求項１記載の発明によれば、印刷ポリシーに従い、印刷物への透かしの挿入を制御する印刷管理サーバと、
印刷物に透かしを印刷するプリンタと、
該プリンタ及び前記印刷管理サーバに接続され、該印刷管理サーバの制御に基づき、該プリンタの出力を制御するユーザ端末とを備えた透かし印刷管理システムであって、
前記印刷管理サーバは、印刷要求をするユーザ又はグループ毎に透かしの有無と、透かしの種類とを定義した透かし印刷ポリシーを収納する透かし印刷ポリシー定義ファイル、及び、透かしのレイアウト、位置、大きさ等、透かしの出力内容である透かし印刷定義情報を収納する透かし印刷定義情報ファイルを格納する記憶手段と、
該透かし印刷定義情報を定義するための透かし定義情報作成ユーティリティとを備え、
前記ユーザ端末は、キー情報を格納する透かし用外部接続機器が該ユーザ端末に接続されて存在しているかどうかを照会し、存在が確認された時は、透かし無しとして印刷させるべく、前記印刷管理サーバへの透かし印刷ポリシーの問い合わせを行わないように機能させる機器存在照会手段と、
キー情報を格納する透かし用外部接続機器の存在が確認されない時、前記印刷管理サーバに透かし印刷ポリシーを問い合わせ、「透かし印刷あり」という印刷ポリシーを受信すると、前記印刷管理サーバに透かし印刷定義情報を問い合わせ、透かし印刷定義情報を受信すると、アプリケーションによって作成された印刷データに前記透かし印刷定義情報に基づく透かし印刷データを付加する透かし印刷ドライバと、
前記透かし印刷ドライバをアプリケーションに適用する透かし印刷ドライバ挿入サービスと、
前記透かし印刷ドライバによって透かしが挿入されたかチェックする透かしプリントプロセッサと、
前記プリンタと前記透かしプリントプロセッサの設定状態を検知する透かしプリントプロセッサ監視サービスとを備え、
更に、前記透かし印刷ドライバは、透かし印刷情報を文書データに付加する透かし印刷情報付加手段と、
印刷ジョブパラメータに透かし挿入の有無を判別できる透かしパラメータを設定する透かしパラメータ設定手段とを備え、
前記透かし印刷ドライバ挿入サービスは、アプリケーションに対し前記透かし印刷ドライバを挿入し、印刷実行時に、前記透かし印刷ドライバの機能を適用させる透かし印刷ドライバ適用機能を備え、
前記透かしプリントプロセッサは、前記透かし印刷ドライバによって設定された印刷ジョブパラメータの透かしパラメータが存在しない場合に印刷を抑止する印刷抑止機能を備え、
前記透かしプリントプロセッサ監視サービスは、プリンタの設定状態を検知し、プリントプロセッサが透かしプリントプロセッサ以外のものに設定されていないかどうかをチェックするチェック手段と、
チェックの結果、異なるものが設定されていた場合、透かしプリントプロセッサを割り当てる割当て手段とを備える透かし印刷管理システムを提供するので、印刷するユーザの意思によらず、強制的に印刷物に透かしを挿入することが可能となり、機密情報の印刷物による漏洩を容易に防止することができる。
又、透かしプリントプロセッサの透かし印刷ドライバによって設定された印刷ジョブパラメータの透かしパラメータが存在しない場合に印刷を抑止することが可能となる。
更に、前記ユーザ端末は、キー情報を格納する透かし用外部接続機器が該ユーザ端末に接続されて存在しているかどうかを照会し、存在が確認される時は、上記印刷管理サーバへの透かし印刷ポリシーの問い合わせを行わないように機能させる機器存在照会手段を備えているので、ユーザ端末にキー情報を格納する透かし用外部接続機器を接続することにより、透かし印刷を強制されるユーザが一時的に透かし無しで印刷することが可能になり、外部公開用の文書等、透かしを挿入したくない文書を一時的に透かし無しで印刷することが可能となる。
【００１３】
請求項２記載の発明によれば、上記印刷管理サーバは、上記透かし印刷ドライバからの透かし印刷ポリシーの問合せを受信するポリシー問合せ受信手段と、該ポリシー問合せに基づき、上記透かし印刷ポリシー定義ファイルを参照するポリシー参照手段と、参照結果である透かし印刷ポリシーを前記透かし印刷ドライバに送信するポリシー送信手段と、前記透かし印刷ドライバからの透かし印刷定義情報の問合せを受信する定義情報問合せ受信手段と、該透かし印刷定義情報に基づき、上記透かし印刷定義情報ファイルを参照する定義情報参照手段と、参照結果である透かし印刷定義情報を前記透かし印刷ドライバに送信する定義情報送信手段とを備え、上記透かし印刷ドライバは、前記印刷管理サーバに透かし印刷ポリシーを問い合わせるポリシー問合せ手段と、前記印刷管理サーバから透かし印刷ポリシーを受信するポリシー受信手段と、前記印刷管理サーバに透かし印刷定義情報を問い合わせる定義情報問合せ手段と、前記印刷管理サーバから透かし印刷定義情報を受信する定義情報受信手段と、文書データを上記プリンタに出力するプリンタ出力手段とを備えるので、請求項１記載の発明の効果に加え、透かし印刷ポリシー及び透かし印刷定義情報を印刷管理サーバから一元的に提供することができ、印刷管理サーバから提供される透かし印刷ポリシー及び透かし印刷定義情報に基づき、透かし印刷ドライバを出力させることができる。
【００１４】
請求項３記載の発明によれば、上記プリンタは、プリントサーバを介して上記ユーザ端末に接続されるので、請求項１又は２記載の発明の効果に加え、ユーザ端末に負担を掛けることなくプリンタによる印刷が可能になり、且つ、プリンタもユーザ端末に拘束されることなく、自由な印刷が可能となる。
又、印刷ジョブパラメータに透かしパラメータが存在しない場合に印刷を抑止する機能により、透かし印刷ドライバを導入していない不当な端末からプリントサーバへの印刷を抑止することが可能となる。
【００１５】
請求項４記載の発明によれば、上記透かし印刷定義情報ファイルは、印刷データに挿入する透かしのレイアウト、位置、大きさを示す記号を含む複数の記号を列挙した電子データを格納し、該電子データはコンピュータ上のファイルのレコード形式をとるので、請求項１乃至３のうちいずれか一に記載の発明の効果に加え、透かし情報を容易に定義できると共に、データ処理が容易であり、且つ、多様な透かし印刷が可能となる。
【発明を実施するための最良の形態】
【００１７】
以下、実施例を示した図面を参照しつつ本発明の実施の形態を説明する。尚、説明の都合上、後に説明する実施例に於いて、先に説明した実施例と同一構成部分については同一符号を付してその説明を省略する。
図１に於いて、１は、本発明の第１実施例の透かし印刷管理システムを示し、透かし印刷管理システム１は、印刷ポリシーに従い、印刷物への透かしの挿入を制御する印刷管理サーバ２と、印刷物に透かしを印刷するプリンタ３と、プリンタ３をローカルに接続すると共に、印刷管理サーバ２にネットワーク４を介して接続され、印刷管理サーバ２の制御に基づき、プリンタ３の出力を制御するユーザ端末５とを備えている。
【００１８】
そして、前記印刷管理サーバ２は、印刷要求をするユーザ又はグループ毎に透かしの有無と、透かしの種類とを定義した透かし印刷ポリシーを収納する透かし印刷ポリシー定義ファイル６、及び、透かしのレイアウト、位置、大きさ等、透かしの出力内容である透かし印刷定義情報を収納する透かし印刷定義情報ファイル７を夫々格納する記憶手段である記憶装置８，９を備え、更に、透かし印刷定義情報を定義するための透かし定義情報作成ユーティリティ１０とを備えている。
【００１９】
又、前記ユーザ端末５は、アプリケーションによって作成された印刷データに透かし印刷データを付加する透かし印刷ドライバ１１と、透かし印刷ドライバ１１をアプリケーションに適用するための透かし印刷ドライバ挿入サービス１２と、透かし印刷ドライバ１１によって透かしが挿入されたかチェックする透かしプリントプロセッサ１３と、プリンタ３と透かしプリントプロセッサ１３のくくり付けを監視する透かしプリントプロセッサ監視サービス１４とを備えている。
【００２０】
更に、図２に示すように、前記印刷管理サーバ２は、前記透かし印刷ドライバ１１からの透かし印刷ポリシーの問合せを受信するポリシー問合せ受信手段２１と、ポリシー問合せに基づき、前記透かし印刷ポリシー定義ファイル６を参照するポリシー参照手段２２と、参照結果である透かし印刷ポリシーを透かし印刷ドライバ１１に送信するポリシー送信手段２３と、透かし印刷ドライバ１１からの透かし印刷定義情報の問合せを受信する定義情報問合せ受信手段２４と、透かし印刷定義情報の問合せに基づき、前記透かし印刷定義情報ファイル７を参照する定義情報参照手段２５と、参照結果である透かし印刷定義情報を透かし印刷ドライバ１１に送信する定義情報送信手段２６とを備えている。
【００２１】
又、図３に示すように、前記透かし印刷ドライバ１１は、前記印刷管理サーバ２に透かし印刷ポリシーを問い合わせるポリシー問合せ手段３１と、印刷管理サーバ２から透かし印刷ポリシーを受信するポリシー受信手段３２と、印刷管理サーバ２に透かし印刷定義情報を問い合わせる定義情報問合せ手段３３と、印刷管理サーバ２から透かし印刷定義情報を受信する定義情報受信手段３４と、透かし印刷情報を文書データに付加する透かし印刷情報付加手段３５と、印刷ジョブパラメータに透かしパラメータを設定する透かしパラメータ設定手段３６と、文書データをプリンタ３に出力するプリンタ出力手段３７とを備えている。
【００２２】
更に、前記透かし印刷ドライバ挿入サービス１２は、前記透かし印刷ドライバ１１をアプリケーションに適用して、アプリケーションの印刷実行時に、前記透かし印刷ドライバ１１の機能を呼び出させる透かし印刷ドライバ適用機能４１を備える。
【００２３】
更に、前記透かしプリントプロセッサ１３は，前記透かし印刷ドライバ１１によって設定された印刷ジョブパラメータの透かしパラメータが存在しない場合に印刷を抑止する印刷抑止機能４２を備えている。
【００２４】
更に又、前記透かしプリントプロセッサ監視サービス１４は、プリンタ３の設定状態を検知し、プリントプロセッサが透かしプリントプロセッサ１３以外のものに設定されていないかどうかをチェックするチェック手段４３と、チェックの結果、異なるものがくくりつけられていた場合、透かしプリントプロセッサ１３を割り当てる割当て手段４４とを備える。
【００２５】
図４は透かし印刷定義情報ファイル７に格納するデータを作成する透かし定義情報作成ユーティリティ１０の説明図である。システム管理者である印刷管理サーバ２の操作者は、ディスプレイ装置５２を見ながら、キーボード及びマウス５１を使用して、透かし定義情報作成ユーティリティ１０に対して、透かし印刷定義情報を指定する。指定された透かし印刷定義情報のデータは、透かし印刷定義情報ファイル７内に格納される。
【００２６】
図５は、前記透かし印刷管理システム１に於いて、透かし印刷ドライバ１１が透かし印刷情報の付加を決定する処理フローを示す。同図及び前図１乃至図３を用いて、処理の流れを説明すると、先ず、ユーザがユーザ端末５から文書の印刷をする場合、前記透かし印刷ドライバ挿入サービス１２の透かし印刷ドライバ適用機能４１により、透かし印刷ドライバ１１の機能が実行される。
透かし印刷ドライバ１１がポリシー問合せ手段３１によって、印刷管理サーバ２へ透かし印刷ポリシーの問合せを行う（ステップＳ１）。
【００２７】
印刷管理サーバ２は、ポリシー問合せ受信手段２１によって、透かし印刷ドライバ１１からの問合せを受信すると、ポリシー参照手段２２によって、透かし印刷ポリシー定義ファイル６を参照し、ポリシー送信手段２３によって、問い合わせのあったユーザに対する透かし印刷ポリシーの参照結果を透かし印刷ドライバ１１へ送信（応答）する。
【００２８】
その際、ユーザが透かしあり印刷ユーザであった場合、透かし印刷ポリシーとして「透かし印刷あり」が送信（応答）され、透かし印刷ドライバ１１は、ポリシー受信手段３２によって透かし印刷ポリシーを受信すると、定義情報問合せ手段３３によって、透かし印刷定義情報を印刷管理サーバ２へ問い合わせる（ステップＳ２）。
【００２９】
印刷管理サーバ２は、定義情報問合せ受信手段２４によって、透かし印刷定義情報の問合せを受信すると、定義情報参照手段２５によって、透かし印刷定義情報ファイル７を参照し、定義情報送信手段２６によって、透かし印刷定義情報を透かし印刷ドライバ１１へ送信（応答）する。
【００３０】
透かし印刷ドライバ１１は、定義情報受信手段３４によって、透かし印刷定義情報を受信する。
そして、前記透かし印刷ドライバ１１は、透かし印刷情報付加手段３５によって、透かし印刷定義情報に基づいた透かし印刷情報を挿入し（ステップＳ３）、透かしパラメータ設定手段３６によって、印刷ジョブパラメータに透かし挿入済みを表す透かしパラメータ（ステップＳ４）を設定し、プリンタ出力手段３７によって、プリンタ３へ出力する（ステップＳ５）。
【００３１】
この時、前記透かしプリントプロセッサ監視サービス１４が、チェック手段４３によって、プリンタ３の設定状態を検知し、プリントプロセッサ（図示せず）が透かしプリントプロセッサ１３以外のものに設定されていないかチェックし、透かしプリントプロセッサ１３以外のものに設定されている場合は、透かしプリントプロセッサ１３を割当てる。
【００３２】
次に前記透かしプリントプロセッサ１３は、印刷抑止機能４２によって、前記透かし印刷ドライバ１１が設定した印刷ジョブパラメータが正当な値かチェックし、正当な値でない場合は、印刷を抑止する。
印刷抑止機能４２によって印刷ジョブパラメータが正当な値であると判定された場合は、前記プリンタ３は、コマンドを追加された印刷データに基づき、透かし印刷を行なう。
【００３３】
尚、ユーザが透かしなし印刷ユーザであった場合、即ち、透かし印刷ポリシーとして透かし印刷なしが応答された場合、透かし印刷ドライバ１１は、透かし印刷情報付加手段３５によって，透かし印刷定義情報に基づいた透かし印刷情報を挿入せず、透かしパラメータ設定手段３６によって、印刷ジョブパラメータに透かし挿入無しを表す透かしパラメータを設定し（ステップＳ４）、プリンタ出力手段３７によって、プリンタ３へ出力する（ステップＳ５）。
【００３４】
図６は、透かし定義情報設定ダイアログで、透かし定義情報作成ユーティリティ１０が起動されるとディスプレイ装置５２に表示される。
図に於いて、欄５０１は、レイアウト指定ボックスで、透かしの情報を格子状に連続して配置するか、図に示す「単一」の如く、一箇所に一つだけ配置するかを選択する。欄５０２は、位置指定欄で、透かしを印刷する位置を指定する。
【００３５】
欄５０３は、回転角指定欄で、透かしの文字の傾きを指定する。欄５０４は、文字サイズ指定欄で、透かしの文字サイズを指定する。欄５０５は、行間指定欄で、透かしを連続して配置する場合の行間を指定する。欄５０６は、濃度パターン指定欄で、透かしの文字の濃度を指定する。
ボックス５０７は、固定文字指定チェックボックスで、このボックスがチェックされた場合、文字列指定欄５０８に指定された文字列を固定文字として出力する。ボックス５０９は、ログインＩＤ指定チェックボックスで、このチェックボックスがチェックされた場合、固定文字としてログインＩＤを出力する。
【００３６】
ボックス５１０は、ドメイン指定チェックボックスで、このチェックボックスがチェックされた場合、ドメインを固定文字として出力する。ボックス５１１は、日時指定チェックボックスで、このチェックボックスがチェックされた場合、日時を固定文字として出力する。
ボックス５１２は、マシン名指定チェックボックスで、このチェックボックスがチェックされた場合、マシン名を固定文字として出力する。ボックス５１３は、ＩＰアドレス指定チェックボックスで、このチェックボックスがチェックされた場合、ＩＰアドレスを固定文字として出力する。
【００３７】
ボタン５１４は、読込ボタンで、読込ボタン５１４がクリックされた場合、透かし印刷定義情報ファイル７を読込み、保存されている情報をダイアログに表示する。
ボタン５１５は、保存ボタンで、保存ボタン５１５がクリックされた場合、ダイアログに指定されている透かし印刷定義情報を透かし印刷定義情報ファイル７に保存する。
【００３８】
ボタン５１６は、プレビューボタンで、プレビューボタン５１６がクリックされた場合、後述する透かし定義情報印刷プレビューダイアログをディスプレイ装置５２に表示する。
ボタン５１７は、テスト印刷ボタン５１７で、テスト印刷ボタン５１７がクリックされた場合、現在指定している透かし印刷定義情報をプリンタ３にテスト印刷する。
ボタン５１８は、終了ボタン５１８で、終了ボタン５１８がクリックされた場合、透かし定義情報作成ユーティリティ１０を終了する。
【００３９】
図７は、前記透かし定義情報作成ユーティリティ１０によって作成され、前記透かし印刷定義情報ファイル７に格納される電子データを示し、この電子データは印刷データに挿入する透かしのレイアウト、位置、大きさを示す記号を含む複数の記号を列挙したものであり、コンピュータ上のファイルのレコード形式に生成される。
【００４０】
図８は、透かし定義情報印刷プレビューダイアログで、ディスプレイ装置５２に表示される。
同図に於いて、領域６０１は、プレビュー表示領域で、前図６で示した透かし定義情報設定ダイアログで指定した情報で印刷するときの出力形式を表示する。
【００４１】
ボタン６０２は、印刷ボタン６０２で、印刷ボタン６０２がクリックされた場合、現在表示しているプレビューの形式をプリンタ３によって印刷する。
ボタン６０３は、拡大ボタン６０３で、拡大ボタン６０３がクリックされた場合、プレビューの画像を拡大する。
【００４２】
ボタン６０４は、縮小ボタン６０４で、縮小ボタン６０４がクリックされた場合、拡大されているプレビューの画像を元に戻す。
ボタン６０５は、閉じるボタン６０５で、閉じるボタン６０５がクリックされた場合、図６に示す透かし定義情報設定ダイアログに戻る。
【００４３】
斯くして、前記透かし印刷管理システム１は、印刷管理サーバ２から送信される透かし印刷ポリシーに基づき印刷されるので、印刷するユーザの意思によらず、強制的に印刷物に透かしを挿入することが可能となり、機密情報の印刷物による漏洩を容易に防止することができる。
又、前記透かし印刷管理システム1は、透かし印刷ポリシー及び透かし印刷定義情報を印刷管理サーバ２から一元的に提供することができ、印刷管理サーバ２から提供される透かし印刷ポリシー及び透かし印刷定義情報に基づき、透かし印刷ドライバ１１を出力させることができる。
【００４４】
更に、前記透かし印刷管理システム１に於いて、透かし印刷定義情報ファイル７は、印刷データに挿入する透かしのレイアウト、位置、大きさを示す記号を含む複数の記号を列挙した電子データを格納し、この電子データはコンピュータ上のファイルのレコード形式をとるので、レコード形式の電子データによって、透かし情報を容易に定義できると共に、データ処理が容易であり、且つ、多様な透かし印刷が可能となる。
【００４５】
図９は、前記透かし印刷管理システム１に於いて、強制的に透かしを挿入して印刷する設定のユーザが、一時的に透かし無しで印刷する機能を示す説明図である。
前記ユーザ端末５は、管理者から提供されたUSB(Universal Serial Bus)キー等のキー情報を格納する透かし外部接続機器１６がユーザ端末５に接続されて存在しているかどうかを照会し、存在が確認される時は、印刷管理サーバ２への透かし印刷ポリシーの問い合わせを行わないように機能させる機器存在照会手段４５を備えている。
一方、透かし外部接続機器１６は、印刷管理サーバ２の管理者等が設定したキー情報４６が格納されるメモリー４７と、機器存在照会手段４５からのキー情報４６を格納する透かし外部接続機器の機器存在確認信号を受信する機器存在確認受信手段４８と、機器存在確認信号に対して、キー情報を格納する透かし外部接続機器が存在する信号を送信する機器存在確認送信手段４９とを備えている。
【００４６】
而して、ユーザ端末５で印刷するとき、透かし印刷ドライバ１１は、機器存在照会手段４５により、キー情報４６が格納される前記透かし用外部接続機器１６にその存在を問い合わせる（照会する）べく、機器存在確認信号を送信する。透かし用外部接続機器１６は、機器存在確認受信手段４８で透かし印刷ドライバ１１の問い合わせを受信し、機器存在確認送信手段４９により結果を返す（キー情報４６が格納される透かし用外部接続機器１６が存在する信号を送信する）。
【００４７】
透かし印刷ドライバ１１が、透かし用外部接続機器１６より透かし用外部接続機器１６が存在するという結果を受信した場合は、印刷管理サーバ２へ透かしポリシーの問い合わせを行わず、透かし無しとして印刷をする。即ち、ユーザ端末５に透かし用外部接続機器１６が接続されている場合は、一時的に透かし無しで印刷することになり、ユーザ端末５に透かし用外部接続機器１６が接続されていない場合は、透かし印刷が行なわれる。
【００４８】
図１０に於いて、６１は、本発明の第２実施例の透かし印刷管理システムを示し、透かし印刷管理システム６１は、前記透かし印刷管理システム（図１に於いて１）に於いてユーザ端末５にローカル接続したプリンタ３を、ユーザ端末５から切り離し、ネットワーク４に接続したプリントサーバ６２に接続したものである。又、透かし印刷管理システム６１には、透かし印刷ドライバ１１を導入していない未導入端末１５がネットワーク４に接続されている。
【００４９】
前記透かし印刷管理システム６１に於いて、透かし印刷ドライバ１１が透かし印刷情報の付加を決定する処理フローは、前図５と同様であるので、その説明は省略する。但し、印刷データは、プリントサーバ６２を介してプリンタ３に送られ印刷される。
【００５０】
斯くして、前記透かし印刷管理システム６１は、前記透かし印刷管理システム１と同様に、印刷管理サーバ２から送信される透かし印刷ポリシーに基づき印刷されるので、印刷するユーザの意思によらず、強制的に印刷物に透かしを挿入することが可能となり、機密情報の印刷物による漏洩を容易に防止することができる。
【００５１】
又、未導入端末１５から印刷指示された印刷ジョブパラメータには、透かし印刷ドライバ１１による透かしパラメータ設定手段３６で設定した透かしパラメータが存在しないため、プリントサーバ６２内の透かしプリントプロセッサ１３の印刷抑止機能４２により、不当な印刷であると判断され印刷が抑止される。
【００５２】
更に、プリンタ３がプリントサーバ６２に接続されるので、ユーザ端末５に負担を掛けることなくプリンタ３による印刷が可能になり、且つ、プリンタ３もユーザ端末５に拘束されることなく、自由な印刷が可能となる。
【図面の簡単な説明】
【００５３】
【図１】本発明による第１実施例の透かし印刷管理システムを概略的に示す構成図である。
【図２】本発明による透かし印刷管理システムの印刷管理サーバの機能を示す概略図である。
【図３】（ａ）本発明による透かし印刷管理システムの透かし印刷ドライバの機能を示す概略図である。（ｂ）本発明による透かし印刷管理システムの透かし印刷ドライバ挿入サービスの機能を示す概略図である。（ｃ）本発明による透かし印刷管理システムの透かしプリントプロセッサの機能を示す概略図である。（ｄ）本発明による透かし印刷管理システムの透かしプリントプロセッサ監視サービスの機能を示す概略図である。
【図４】本発明による透かし印刷管理システムの透かし定義情報作成ユーティリティの説明図である。
【図５】本発明による第１実施例の透かし印刷管理システムの透かし印刷ドライバが透かし印刷情報の付加を決定する処理フローである。
【図６】本発明による透かし印刷管理システムの透かし定義情報ユーティリティの透かし定義情報設定ダイアログである。
【図７】本発明による透かし印刷管理システムの透かし印刷定義情報ファイルのデータレコードである。
【図８】本発明による透かし印刷管理システムの透かし定義情報印刷プレビューダイアログである。
【図９】本発明による一時的に強制透かし機能を無効にする機能の説明図である。
【図１０】本発明による第２実施例の透かし印刷管理システムを概略的に示す構成図である。
【符号の説明】
【００５４】
１，６１  透かし印刷管理システム
２  印刷管理サーバ
３  プリンタ
５  ユーザ端末
６  透かし印刷ポリシー定義ファイル
７  透かし印刷定義情報ファイル
１０  透かし定義情報作成ユーティリティ
１１  透かし印刷ドライバ
１２  透かし印刷ドライバ挿入サービス
１３  透かしプリントプロセッサ
１４  プリントプロセッサ監視サービス
１６  透かし用外部接続機器
２１  ポリシー問合せ受信手段
２２  ポリシー参照手段
２３  ポリシー送信手段
２４  定義情報問合せ受信手段
２５  定義情報参照手段
２６  定義情報送信手段
３１  ポリシー問合せ手段
３２  ポリシー受信手段
３３  定義情報問合せ手段
３４  定義情報受信手段
３５  透かし印刷情報付加手段
３６  プリンタ出力手段
３７  透かしパラメータ設定手段
４１  透かし印刷ドライバ適用機能
４２  印刷抑止機能
４３  チェック手段
４４  割当て手段
４５  機器存在照会手段
４６  キー情報
６２  プリントサーバ
【図１】
0004757703.tif 000002
【図２】
0004757703.tif 000003
【図３】
0004757703.tif 000004
【図４】
0004757703.tif 000005
【図５】
0004757703.tif 000006
【図６】
0004757703.tif 000007
【図７】
0004757703.tif 000008
【図８】
0004757703.tif 000009
【図９】
0004757703.tif 000010
【図１０】
0004757703.tif 000011